(57)【要約】【課題】既存屋根に孔を開けずに新設屋根を構築して改修可能で、この新設屋根および同屋根への負荷等の荷重を支持部材で分散させて支持可能である建築物の改修構造を提供する。【解決手段】支持部材５は、既存屋根の二つ又は複数の接続部分４に横架する支持部５ａと、支持部５ａの左右一端部５ａ１に垂下して、一つの接続部分４の凹状部４ａに係止する係止部５ｂと、支持部の左右他端部５ａ２に垂設されて、他方の接続部分の被当接部４ｂに当接する当接部５ｃとを有し、一つの支持部材５の他端部５ａ２にそれと隣り合う支持部材５の一端部５ａ１が被嵌可能に形成してあり、他端部５ａ２に一端部５ａ１を被嵌した状態で、係止部５ｂと当接部５ｃが、対向して両部間に接続部分４を挾着し得るようにしてあると共に、隣り合う支持部材５が直線状に連続可能に形成されている。【選択図】図４
2008202398.tif 000002
【特許請求の範囲】
【請求項１】
山部あるいは桟部に形成された外装材の接続部分の一方の側部に凹状部を、他方の側部に被当接部を、それぞれ有する既存屋根上に支持部材を経て新設屋根を構築する建築物の改修構造において、
前記支持部材は、既存屋根の二つ又は複数の接続部分に横架する支持部と、当該支持部の左右一端部に垂下して、一つの前記接続部分の凹状部に係止する係止部と、前記支持部の左右他端部に垂設されて、他方の前記接続部分の被当接部に当接する当接部とを有し、
一つの支持部材の前記他端部にそれと隣り合う支持部材の前記一端部が被嵌可能に形成してあり、前記他端部に前記一端部を被嵌した状態で、前記係止部と前記当接部が、対向して両部間に前記接続部分を挾着し得るようにしてあると共に、隣り合う前記支持部材が直線状に連続可能に形成されていることを特徴とする建築物の改修構造。
【請求項２】
前記接続部分を挾着した前記一端部と前記他端部とを止着具により接続することによって固定し、前記支持部材を前記接続部分に固定状に取り付けることを特徴とする請求項１に記載の建築物の改修構造。
【請求項３】
前記支持部材は、複数の接続部分に横架する支持部が、当該複数の接続部分における各凹状部に係止する複数の係止部を有することを特徴とする請求項１又は２に記載の建築物の改修構造。
【請求項４】
前記支持部の一端の係止部が前記凹状部に係止した状態で、前記支持部の他端の当接部が前記被当接部に当接するように形成してあることを特徴とする請求項１〜３のいずれかに記載の建築物の改修構造。
【発明の詳細な説明】
【技術分野】
【０００１】
本発明は建築物の改修構造に関し、さらに詳しくは、既存の屋根上に新たに屋根を新設するのに有用な屋根の改修構造に関係している。
【背景技術】
【０００２】
既存の縦葺き屋根や折板等を改修するものとして、特許文献１に記載されている改修用折板屋根支持具を用いた改修屋根構造、特許文献２に記載されている折板支持金具を用いた改修屋根構造がある。特許文献１のものでは、既存屋根板に新設屋根取付け用のタイトフレーム等をビス止めし、このタイトフレームの剣先ボルトに新たな折板屋根をナットで取り付けてある。特許文献２のものでは、既存屋根のハゼ部等に新設屋根取付け用の支持金具を挟着状に取付け、この支持金具に新たな折板屋根を取り付けてある。
【０００３】
特許文献１のものでは、既存屋根板に新設屋根取付け用のタイトフレーム等をビス止めするため、既存屋根には孔を開けなければならない。そして、特許文献１および特許文献２の改修屋根構造では、新たな屋根の重量が折板支持金具を経て既設屋根の山部に負荷されることになるため、当該重量が集中する折板支持金具および山部には十分な強度が求められる。さらに、新設屋根への雨風等の負荷も折板支持金具および山部に集中するので、これらの負荷に耐えられる強度の堅牢な構造のものでなければならない。
【特許文献１】特開平８−４２０７０
【特許文献２】特開平８−２３９９５８
【発明の開示】
【発明が解決しようとする課題】
【０００４】
解決しようとする課題は、第１には、既存屋根に孔を開けずに新設屋根を構築して改修可能で、この新設屋根および同屋根への負荷等の荷重を支持部材で分散させて支持可能である建築物の改修構造を、第２には、さらに、支持部材が組み立て時に風に吹き飛ばされるようなことがない建築物の改修構造を、第３には、さらに、既存屋根に対して支持部材を個別にそれぞれ取付け可能である建築物の改修構造を、第４には、さらに、既存屋根に対する支持部材の取付け施工を手早く行なえる建築物の改修構造を提供することにある。
【課題を解決するための手段】
【０００５】
このような課題を解決するために、本発明は、一つは、山部あるいは桟部に形成された外装材の接続部分の一方の側部に凹状部を、他方の側部に被当接部を、それぞれ有する既存屋根上に支持部材を経て新設屋根を構築する建築物の改修構造において、前記支持部材は、既存屋根の二つ又は複数の接続部分に横架する支持部と、当該支持部の左右一端部に垂下して、一つの前記接続部分の凹状部に係止する係止部と、前記支持部の左右他端部に垂設されて、他方の前記接続部分の被当接部に当接する当接部とを有し、一つの支持部材の前記他端部にそれと隣り合う支持部材の前記一端部が被嵌可能に形成してあり、前記他端部に前記一端部を被嵌した状態で、前記係止部と前記当接部が、対向して両部間に前記接続部分を挾着し得るようにしてあると共に、隣り合う前記支持部材が直線状に連続可能に形成されていることを特徴とする。
【０００６】
また一つには、前述した特徴と併せて、前記接続部分を挾着した前記一端部と前記他端部とを止着具により接続することによって固定し、前記支持部材を前記接続部分に固定状に取り付けることを特徴とする。
【０００７】
また一つには、前述した特徴と併せて、前記支持部材は、複数の接続部分に横架する支持部が、当該複数の接続部分における各凹状部に係止する複数の係止部を有することを特徴とする。
【０００８】
また一つには、前述した特徴と併せて、前記支持部の一端の係止部が前記凹状部に係止した状態で、前記支持部の他端の当接部が前記被当接部に当接するように形成してあることを特徴とする。
【０００９】
本発明における既設屋根は、折板、瓦棒葺き等の山部・谷部、面板部・桟部が交互に連続する態様の屋根をいう。
【００１０】
既設屋根の山部あるいは桟部に形成された外装材の接続部分における凹状部（窪み部）は、巻きハゼ状のものであっても、嵌合状のものであってもよく、側面方向（図面上の左右方向）に開口しているか若しくは窪み、後記する支持部材の係止部が係止可能な態様であればよい。この凹状部と係止部との係止関係は、係脱可能な係止関係を含む。この接続部分における被当接部は、凹状部と反対側の側部に形成されていて、支持部材の当接部が当接可能であればよい。また、外装材の接続部分が形成されている山部あるいは桟部は、その頂部に略平坦部分が形成されているものが好ましい。この場合、係止部と当接部が接続部分を挾着した状態で跨いで略平坦部分に載乗することになり、支持部材の安定性が向上することになる。
【００１１】
支持部材は、上面が略平坦状の支持部と、支持部の一端（図面上の左右いずれか一方）から下方に延びる係止部と、支持部の他端から下方に延びる当接部からなる態様のもの、支持部と、支持部の一端から下方に延びる係止部と、支持部の他端から下方に延びる当接部と、支持部の他端に設けられていて、凹状部に係脱可能な係止部からなる態様のもの、支持部と、支持部の両端から下方に延びる当接部と、支持部の両端に設けられていて、それぞれ凹状部に係脱可能な係止部からなる態様のもの等であり、既存屋根における複数の山部に横架可能な長さを有する長尺材になる。前記の複数とは少なくとも２つの山部をさし、当然、３以上の山部に横架可能な長さのものであってもよい。
【００１２】
支持部材の支持部は、その上面に新設外装構造を構築するための部位であり、新設屋根を保持する保持部材等が取付け可能であればよい。したがって、新設屋根を構築する各種部材たとえばボルト等が立設するものでもよい。支持部材の係止部は、凹状部に挿入して係止可能な形状であればよく、係合状あるいは嵌合状等に係止可能な形状であってもよいし、凹部内に位置することで係止状態にあるものであってもよい。かかる係止部は、接続部分の数（凹状部の数）と同数設けてもよいし、接続部分の数より少なくてもよい。また、係止部は、凹状部にボルト等の位置調整具で係脱可能にしてもよい。
【００１３】
支持部材の当接部は、係止部が係止する凹状部の反対側の被当接部脇に位置する部材であり、この当接部と係止部とで接続部分を挾着した状態が得られるものであればよい。この当接部は、支持部の他端に垂設してある一体状のものであってもよいし、支持部に対してボルト等の位置調整具で長手方向に移動調整可能に設けられる別体状のものでもよく、後者では、当接部を被当接部に当接した状態で締着することで、支持部材全体が当接部側へ引き寄せられ、係止部が凹状部内に係止することになる。よって、係止部と当接部が並設されている箇所では、両部によって接続部分に挟着状に取り付けられ、係止部のみが設けられている箇所は、係止部が凹部に押し付けられて係止した状態になる。
【００１４】
かかる凹状部に係止する係止部と被当接部に当接する当接部とによる接続部分の挾着・取付け状態は、支持部材に設けた係止部と当接部で挾着して形成してもよいし、長手方向に隣接する一方の支持部材の係止部と他方の支持部材の当接部とで挾着して形成するようにしてもよい。また、この挾着・取付け状態について、支持部の一端の係止部が凹状部に係止した状態で、支持部の他端の当接部が被当接部に当接するように形成してあるのが望ましく、この場合、支持部材が複数の接続部分に横架された状態に仮止めされることになって施工が容易になる。
【発明の効果】
【００１５】
このような特徴によると、既存屋根に孔を開けずに新設屋根を構築して改修することができる。また、既設屋根の山部あるいは桟部の複数の接続部分に支持部材を横架して配するため、荷重は支持部材を経て複数の接続部分に分散させることができる。
【００１６】
さらに、支持部材が係止部と当接部で仮止めされることで、組み立て時に風に吹き飛ばされるようなことがなく施工が容易である。さらに、接続部分を挾着した一つの支持部材の一端部とそれと隣り合う支持部材の他端部とを止着具により接続することによって固定し、支持部材を接続部分に固定状に取り付けるので、仮止めした状態で確実に支持部材を接続部分に固定することができる。
【００１７】
さらに、接続部分に、長手方向に沿う一方の支持部材の係止部と、他方の支持部材の当接部を挾着状に取り付けることで、接続部分に対する取付け施工を手早く行なうことができる。
【００１８】
また、支持部材は、左右方向に直線状に連続しているので、支持部材に支持される新設屋根等の荷重を複数の接続部分に分散させることができる。
【発明を実施するための最良の形態】
【００１９】
図１〜図３には建築物の改修構造における１形態を例示しており、既存屋根１は山部２の頂部２ａを略平坦状に形成してある。この頂部２ａにおける左右の折板３の接続部分４は、折板３の左右側縁の接続縁部３ａを係合させて接続してある。
【００２０】
そして、接続部分４には、左方の側部に横向き開口状の凹状部４ａを、右方の側部に垂直状の被当接部４ｂを、それぞれ形成し、この左右の接続部分４に支持部材５を横架してある。
【００２１】
支持部材５は、既存屋根１の左右に隣り合う接続部分４に横架可能な長尺状の断面略ハット形の支持部５ａと、支持部５ａにおける断面略門形状の左端部５ａ１にボルト・ナット等の固定具６で止着されて垂下して、略平坦状の頂部２ａに載乗可能で、凹状部４ａに係止可能な固定係止部５ｂと、支持部５ａにおける断面略門形状の右端部５ａ２に垂設されて、略平坦状の頂部２ａに載乗可能で、被当接部４ｂに当接可能な当接部５ｃと、当接部５ｃの内側に対向状に配設されて、頂部２ａに載乗可能で、凹状部４ａに係止可能な可動係止部５ｄを有している。この左端部５ａ１の固定係止部５ｂと右端部５ａ２の当接部５ｃの位置関係は、固定係止部５ｂが左側の接続部分４の凹状部４ａに係止した状態で、当接部５ｃが右側の接続部分４の被当接部４ｂに当接し得るように形成してある。
【００２２】
可動係止部５ｄは、ナット状の雌ねじ部５ｅに螺合しているボルト等の締付具５ｆを締めるか或いは緩めることで凹状部４ａに対して係脱可能にしてある。支持部５ａの左端部５ａ１には固定係止部５ｂと対向状にストッパー５ｇを垂設してあり、ストッパー５ｇは、固定係止部５ｂが凹状部４ａに係止し且つ頂部２ａに載乗した状態で被当接部４ｂ上端に当接することで、固定係止部５ｂと凹状部４ａが係止状態に仮止めされるようにしてある。この仮止め関係は、支持部５ａ右側を持ち上げて被当接部４ｂ上端からストッパー５ｇを外すことによって解除可能に形成してある。
【００２３】
また、支持部５ａにおける左右の端部５ａ１、５ａ２は、左右に隣り合う支持部材５の左端部５ａ１、右端部５ａ２と前後に隣接した状態で直線状に連続可能な幅比の態様に形成してある。
【００２４】
かかる支持部材５は、固定係止部５ｂを左側の山部２の頂部２ａに乗せた後に（図３の（ａ）参照）、右方へスライドさせることで、凹状部４ａに固定係止部５ｂを係止してあると共に、当接部５ｃを右側の山部２の被当接部４ｂに当接し、頂部２ａに載せた状態にしてある（図３の（ｂ）参照）。この状態で、支持部材５は隣り合う左右の山部２の接続部分４上に横架し、左右方向にスライド不能に仮止めされている。
【００２５】
次に、締付具５ｆを締め、可動係止部５ｄを凹状部４ｂに係止し、この凹状部４ｂの接続部分４を可動係止部５ｄと当接部５ｃで挾着することによって、支持部材５を左右の接続部分４上に固定状に取り付けてある（図３の（ｃ）参照）。こうして左右に隣り合う山部２の接続部分４に支持部材５をそれぞれ横架して取り付け、各支持部材５が長手方向に直線状に連続するように配設してある。
【００２６】
そして、左右方向に直線状に連続している各支持部材５には、支持部５ａ上に保持部材７をネジ止めして固着すると共に断熱材８を敷設し、この断熱材８上の保持部材７間に新設屋根板９をそれぞれ敷設し、新設屋根板９左右側縁の係合部９ａを保持部材７の被係合部７ａに係合して取り付け、この左右の新設屋根板９の隣り合う左右側縁にカバー部材１０を被着して取り付けて葺いてある。
【００２７】
これにより、各支持部材５は、左端部５ａ１の固定係止部５ｂと、右端部５ａ２の可動係止部５ｄおよび当接部５ｃが、左右に隣り合う山部２の頂部２ａにそれぞれ載乗して受支され、この受支状態に、固定係止部５ｂと凹状部４ａによる係止関係および可動係止部５ｄと凹状部４ａの係止関係ならびに可動係止部５ｄと当接部５ｃによる接続部分４の挾着関係によって、左右に隣り合う接続部分４上に横架した個々の取り付け状態となり、既存屋根１に孔を開けずに新設屋根板９を構築して改修し得、新設屋根板９等の荷重を複数の接続部分に分散させられることになる。
【００２８】
図４〜図６には本発明の建築物の改修構造における実施の１形態を例示しており、構成は前記した図１の態様のものと基本的に同一であるため、共通している構成は符号を準用して省略し、相違する構成について説明する。
【００２９】
支持部材５は、支持部５ａにおける断面略門形状の右端部５ａ２の上面および前後の側面を左端部５ａ１の板厚分一段低くすることで、右端部５ａ２に断面略門形状の左端部５ａ１が被嵌可能に形成してあり、この右端部５ａ２に左端部５ａ１を被嵌した状態で、固定係止部５ｂと当接部５ｃが対向して両部間に接続部分４を挾着し得るようにしてあると共に、左右に隣り合う支持部材５の左端部５ａ１と右端部５ａ２が直線状に連続可能な態様に形成してある。
【００３０】
かかる支持部材５は、固定係止部５ｂを左側の山部２の頂部２ａに、当接部５ｃを接続部分４上に、それぞれ乗せた後に（図６の（ａ）参照）、右方へスライドさせることで、凹状部４ａに固定係止部５ｂを係止してあると共に、当接部５ｃを右側の山部２の被当接部４ｂに当接し、頂部２ａに載せた状態にしてある（図６の（ｂ）参照）。この状態で、支持部材５は隣り合う左右の山部２の接続部分４上に横架し、左右方向にスライド不能に仮止めされている。
【００３１】
次に、支持部材５の右端部５ａ２に右隣りの支持部材５における左端部５ａ１を被嵌し（図６の（ｃ）参照）、この右側の支持部材５を右方へスライドさせて、固定係止部５ｂを凹状部４ｂに係止し、接続部分４を固定係止部５ｂと当接部５ｃで挾着し、かかる挾着状態に左端部５ａ１と右端部５ａ２をビス等の止着具１１により接続することによって固定し、支持部材５を左右の接続部分４上に固定状に取り付けてある（図６の（ｄ）参照）。こうして左右に隣り合う山部２の接続部分４に支持部材５をそれぞれ横架して取り付け、各支持部材５が長手方向に直線状に連続するように配設してある。
【００３２】
そして、左右方向に直線状に連続している各支持部材５には、図１の態様のものと同様に、新設屋根板９を葺いてある。これにより、各支持部材５は、左端部５ａ１の固定係止部５ｂと、右端部５ａ２の当接部５ｃが、左右に隣り合う山部２の頂部２ａにそれぞれ載乗して受支され、この受支状態に、固定係止部５ｂと凹状部４ａによる係止関係および右方の支持部材５の固定係止部５ｂと左方の支持部材５の当接部５ｃによる接続部分４の挾着関係によって、左右に隣り合う接続部分４上に横架した取り付け状態となり、既存屋根１に孔を開けずに新設屋根板９を構築して改修し得、新設屋根板９等の荷重を複数の接続部分に分散させられることになる。
【００３３】
図７〜図９には本発明の建築物の改修構造における実施の他の１形態を例示しており、構成は前記した図４の態様のものと基本的に同一であるため、共通している構成は符号を準用して省略し、相違する構成について説明する。
【００３４】
支持部材５は、既存屋根１の４つの山部２に横架可能な長尺状で、各山部２の接続部分４における凹状部４ａにそれぞれ係止可能な固定係止部５ｂを有している。そして、支持部５ａにおける別体の断面略門形状右端部５ａ２はビス等の止着具１１で止着することにより接続形成してある。この右端部５ａ２は断面略門形状の左端部５ａ１に被嵌可能に形成してあり、この右端部５ａ２に左端部５ａ１を被嵌した状態で、左端部５ａ１の固定係止部５ｂと右端部５ａ２の当接部５ｃが対向して両部間に接続部分４を挾着し得るようにしてあると共に、左右に隣り合う支持部材５の左端部５ａ１と右端部５ａ２が直線状に連続可能な態様に形成してある。
【００３５】
かかる支持部材５は、各固定係止部５ｂをそれぞれの山部２の頂部２ａに、当接部５ｃを接続部分４上に、それぞれ乗せた後に、右方へスライドさせることで、各凹状部４ａにそれぞれ固定係止部５ｂを係止してあると共に、右端部５ａ２の当接部５ｃを山部２の被当接部４ｂに当接し、頂部２ａに載った状態にしてある。この状態で、支持部材５は４つの山部２の接続部分４上に横架し、左右方向にスライド不能に仮止めされている。
【００３６】
次に、支持部材５の右端部５ａ２に右隣りの支持部材５における左端部５ａ１を被嵌し、この右側の支持部材５を右方へスライドさせて、固定係止部５ｂを凹状部４ｂに係止し、接続部分４を固定係止部５ｂと当接部５ｃで挾着し、かかる挾着状態に左端部５ａ１と右端部５ａ２をビス等の止着具１１により接続することによって固定し、支持部材５を左右の接続部分４上に固定状に取り付けてある。
こうして左右に隣り合う４つの山部２の接続部分４に支持部材５をそれぞれ横架して取り付け、各支持部材５が長手方向に直線状に連続するように配設してある。
【００３７】
そして、左右方向に直線状に連続している各支持部材５には、図１の態様のものと同様に、新設屋根板９を葺いてある。これにより、各支持部材５は、左端部５ａ１および中間の全ての固定係止部５ｂと、右端部５ａ２の当接部５ｃが、最寄りの山部２の頂部２ａにそれぞれ載乗して受支され、この受支状態に、固定係止部５ｂと凹状部４ａによる係止関係および右方の支持部材５の固定係止部５ｂと左方の支持部材５の当接部５ｃによる接続部分４の挾着関係によって、左右に隣り合う接続部分４上に横架した取り付け状態となり、既存屋根１に孔を開けずに新設屋根板９を構築して改修し得、新設屋根板９等の荷重を複数の接続部分に分散させられることになる。
【００３８】
第１０図には本発明の建築物の改修構造における支持部材の実施の他の１形態を例示しており、構成は前記した図４の態様のものと基本的に同一であるため、共通している構成は符号を準用して省略し、相違する構成について説明する。
【００３９】
支持部材５は、既存屋根１の４つの山部２に横架可能な長尺状で、各山部２の接続部分４における凹状部４ａにそれぞれ係止可能な固定係止部５ｂを有している。そして、支持部材５は、支持部５ａにおける断面略門形状の右端部５ａ２の上面および前後の側面を左端部５ａ１の板厚分一段低くすることで、右端部５ａ２に断面略門形状の左端部５ａ１が被嵌可能に形成してあり、この右端部５ａ２に左端部５ａ１を被嵌した状態で、固定係止部５ｂと当接部５ｃが対向して両部間に接続部分４を挾着し得るようにしてあると共に、左右に隣り合う支持部材５の左端部５ａ１と右端部５ａ２が直線状に連続可能な態様に形成してある。
【００４０】
また図示していないが、図１の態様のものにおいて、左端部５ａ１の固定係止部５ｂに替えて、右端部５ａ２における当接部５ｃと可動係止部５ｂを左端部５ａ１に配設して形成するようにしてもよい。
【図面の簡単な説明】
【００４１】
【図１】建築物の改修構造における形態を例示している縦断正面図。
【図２】図１の横断平面図。
【図３】（ａ）〜（ｃ）は接続部分への支持部材の取り付けを工程順に示す概略図。
【図４】本発明の建築物の改修構造における実施の１形態を例示している縦断正面図。
【図５】図４の横断平面図。
【図６】（ａ）〜（ｄ）は接続部分への支持部材の取り付けを工程順に示す概略図。
【図７】本発明の建築物の改修構造における実施の他の１形態を例示している縦断正面図。
【図８】図７の横断平面図。
【図９】支持部材の分解正面図。
【図１０】本発明の建築物の改修構造における支持部材の実施の他の１形態を例示している正面図。
【符号の説明】
【００４２】
１ 既存屋根
２ 山部
２ａ 頂部
３ 折板
３ａ 接続縁部
４ 接続部分
４ａ 凹状部
４ｂ 被当接部
５ 支持部材
５ａ 支持部
５ａ１ 左端部
５ａ２ 右端部
５ｂ 固定係止部（係止部）
５ｃ 当接部
５ｄ 可動係止部（係止部）
５ｅ 雌ねじ部
５ｆ 締付具
５ｇ ストッパー
６ 固定具
７ 保持部材
７ａ 被係合部
８ 断熱材
９ 新設屋根板
９ａ 係合部
１０ カバー部材
１１ 止着具
【図１】
2008202398.tif 000003
【図２】
2008202398.tif 000004
【図３】
2008202398.tif 000005
【図４】
2008202398.tif 000006
【図５】
2008202398.tif 000007
【図６】
2008202398.tif 000008
【図７】
2008202398.tif 000009
【図８】
2008202398.tif 000010
【図９】
2008202398.tif 000011
【図１０】
2008202398.tif 000012